【事件の表示】
　特許第３０５３５６１号「生理用ナプキン」の請求項１ないし５に係る特許に対する特許異議の申立てについて、次のとおり決定する。
【結　論】
　訂正を認める。
　特許第３０５３５６１号の請求項１ないし４に係る特許を維持する。
【理　由】
I．手続の経緯
　特許第３０５３５６１号の請求項１〜５に係る発明は、平成７年１０月１９日に特許出願され、平成１２年４月７日にその発明について特許権の設定登録がなされ、その後、特許異議の申立がなされ、取消の理由が通知され、その指定期間内である平成１３年８月２８日に訂正請求がなされ、平成１３年１２月４日口頭審理及び証拠調べが行われたものである。
II．訂正請求について
１．訂正の内容
　訂正事項ａ
　明細書の特許請求の範囲の請求項１に係る記載「高圧搾部と低圧搾部とを有することを特徴とする前記生理用ナプキン。」を「高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることを特徴とする前記生理用ナプキン。」と訂正する。
　訂正事項ｂ
　訂正前の請求項４を削除するとともに、訂正前の請求項５を新たに請求項４と訂正する。
　訂正事項ｃ
　明細書の段落【０００６】中の「かかる前提において、前記条溝は、前記条溝の底面を幅方向へ連続して横切り、かつ、前記底面の長さ方向へ交互に並列する高圧搾部と低圧搾部とを有ることが、この発明の特徴である。」を「かかる前提において、前記条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることが、この発明の特徴である。」と訂正する。
　訂正事項ｄ
　明細書の段落【００１４】中の「（請求項１，４）。」を「（請求項１）。」と訂正する。
　訂正事項ｅ
　明細書の段落【００１７】中の「（請求項５）。」を「（請求項４）」と訂正する。　
２．訂正の適否について
　上記訂正事項ａは、訂正前の請求項１に記載事項について、訂正前の請求項４に記載の事項及び段落【０００９】に記載の事項に基づいて限定するものであるから、特許請求の範囲の減縮を目的とする訂正に該当する。
　上記訂正事項ｂは、訂正前の請求項４を削除するものであるから、特許請求の範囲の減縮を目的とする訂正に該当する。
　上記訂正事項ｃ〜ｅは、特許請求の範囲の訂正により生じた発明の詳細な説明との整合を図るものであり、明りょうでない記載の釈明を目的とする訂正に該当する。
　そして、上記各訂正事項は、明細書に記載された事項の範囲内の訂正であり、新規事項の追加に該当せず、実質的に特許請求の範囲を拡張又は変更するものではない。
３．むすび
　したがって、上記訂正は、特許法第１２０条の４第２項及び同条第３項において準用する同法第１２６条第２項及び第３項の規定に適合するので、当該訂正を認める。
III．訂正後の発明
　訂正後の請求項１〜４に係る発明は、訂正明細書の特許請求の範囲の請求項１〜４に記載された、次のとおりのものである。
「【請求項１】透液性表面シートと、不透液性裏面シートと、それら両シートの間に介在する吸液性コアとからなり、前記コアが位置する領域の上面両側に前記コアの長さ方向へ延びるとともに前記コアの長さ方向の中央部において間隔が狭くなった一対の圧搾条溝を有する生理用ナプキンにおいて、前記条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることを特徴とする前記生理用ナプキン。
【請求項２】前記条溝は、前記条溝の上面開口の幅寸法がその底面の幅寸法よりも大きく、かつ、前記条溝の開口上縁が円弧に形成されている請求項１に記載の生理用ナプキン。
【請求項３】前記低圧搾部および高圧搾部は、ナプキンの縦軸に対して斜めに延在している請求項１または請求項２に記載の生理用ナプキン。
【請求項４】前記条溝を画成する内外側壁のうち、該内側壁に沿って位置する前記コア部分が、該外側壁に沿って位置する前記コア部分よりも高密度である請求項１ないし請求項３のいずれかに記載の生理用ナプキン。」
IV．特許異議申立について
１．特許異議申立の概要
◆特許異議申立人　藤田雅也は、甲第１号証（実公平５−３９６９１号公報、以下、刊行物１という）、甲第２号証（特開昭５２−１３８３９８号公報、以下、刊行物２という）、甲第３号証の１（大王製紙株式会社「エリスｏｎプリーツ」カタログ、以下刊行物３という）、甲第３号証の２（証明書（株式会社大広作成）、甲第３号証の３（朝日新聞、平成３年４月２１日発行、第１３頁、以下、刊行物４という）、甲第４号証（「ｎｏｎ‐ｎｏ」通巻Ｎｏ．３９５　集英社、昭和６３年８月５日発行、広告頁、以下、刊行物５という）、検甲第１号証（大王製紙株式会社『エリスｏｎプリーツ　ナイト』の現品）、検甲第２号証（大王製紙株式会社『エリスｏｎプリーツ　レギュラー』の現品）を提出して、訂正前の請求項１〜５に係る発明は、前記甲第１〜４号証に記載された発明及び検甲第１〜２号証の発明に基づいて当業者が容易に発明をすることができたものであるから、訂正前の請求項１〜５に係る発明の特許は、特許法第２９条第２項の規定に違反してされたものであるから（申立理由１）、取り消されるべきものである旨、
◆特許異議申立人　中野馥子は、甲第１号証（特開平６‐２４５９５１号公報、以下、刊行物６という）、甲第２ 号証（米国特許第４，６５５，７５９号明細書、以下、刊行物７という）、甲第３号証（実公平５−３９６９１号公報、刊行物１と同一）、甲第４号証（特開昭６４−４５８０１号（特開平１−４５８０１号）公報、以下、刊行物８という）、資料１（甲第１号証の図２を拡大し、一部記号を加えた図）を提出して、訂正前の請求項１〜５に係る発明は、前記甲第１〜４号証に記載された発明に基づいて当業者が容易に発明をすることができたものであるから、訂正前の請求項１〜５に係る発明の特許は、特許法第２９条第２項の規定に違反してされたものであるから（申立理由１）、取り消されるべきものである旨、
◆特許異議申立人　花王株式会社は、甲第１号証（ユニ・チャーム株式会社が発行した同社製品の総合カタログ）、甲第１号証の２（ユニ・チャーム株式会社が発行した同社製品「チャームボデイフイット」のカタログ）、甲第１号証の３（ユニ・チャーム株式会社が発売した生理用ナプキンである「チャームナップミニふつう用」（本特許異議申立人　花王株式会社が１９９３年７月２６日に購入））、甲第１号証の４（甲第１号証の３の「チャームナップミニふつう用」が包装されていたパッケージ前面及び後面の写真）を提出して、訂正前の請求項１〜５に係る発明は、前記甲第１号証〜甲第１号証の４の発明であり、また前記甲第１号証〜甲第１号証の４の発明に基づいて当業者が容易に発明をすることができたものであるから、訂正前の請求項１〜５に係る発明の特許は、特許法第２９条第１項又は特許法第２９条第２項の規定に違反してされたものであり（申立理由１）、取り消されるべきものである旨、
◆特許異議申立人　福丸洋一は、甲第１号証（特開昭５２−１３８３９８号公報、刊行物２と同一）、甲第２号証（特開昭６１−４８３５９号公報、以下、刊行物９という）、甲第３号証（特開平６−３１５５０１号公報、以下、刊行物１０という）を提出して、訂正前の請求項１に係る発明は、前記甲第１〜３号証に記載された発明に基づいて当業者が容易に発明をすることができたものであるから、訂正前の請求項１に係る発明の特許は、特許法第２９条第２項の規定に違反してされたものであるから（申立理由１）、取り消されるべきものである旨、それぞれ主張している。
２．特許異議申立についての判断
【２−１】特許異議申立人　藤田雅也の申立理由１、特許異議申立人　中野馥子の申立理由および特許異議申立人　福丸洋一の申立理由について（特許法第２９条第１項又は第２９条第２項違反）
（１）請求項１に係る発明（以下、本件発明という）について
（i）各刊行物に記載の事項
　★刊行物１（実公平５−３９６９１号公報）には、以下の事項が記載されている。
「（２）請求項１記載のナプキンであって、ナプキンの上面両則にその長さ方向へ延びるとともにそのほぼ中央部において間隔が狭くなった第１の圧搾条溝と、ナプキンの下面の幅方向中央部からその長さ方向後端近傍へ延びる第２の圧搾条溝とをそれぞれ設けてある前記ナプキン。」（実用新案登録請求の範囲第２項）
「一方、従来、生理ナプキンにおいて、その長さ方向に着用時の屈曲案内機能を果す圧搾条溝をナプキンの構成部材の積層体またはコアに設けるか、またはコアに同様の機能を果す切り込みを設けたものが知られている。これは圧搾条溝または切り込みによってナプキンの女性局部への適合密着性を高めるようにしたものである。しかし、前記公知技術が意図する作用効果は、前記構成のゆえに未だ充分に達成されていない。」（１頁２欄１２〜２０行）
「第２の手段によれば、着用状態においては、第２の圧搾条溝を介してナプキンの中央部が着用者の肌側へいわば山形に隆起するとともに、第１の圧搾条溝を介してナプキンの両側部が着用者の肌側へ屈曲して全体としてほぼＷ字形の立体構造に変形する。この変形はナプキンの女性局部への適合密着性を高め、経血のもれを最小にする。」（２頁３欄２０行〜２６行）　　
　★刊行物２（特開昭５２−１３８３９８号公報）には、以下の事項が記載されている。
「本発明は、日常の婦人の衛生および臭気抑制にそして医薬処置からの汚れおよび（または）毎日の分泌物（・・・）からの汚れに対して下着を守るために特に適した使い捨てできる保護物の構造および機能に関する。」（２頁右上欄１６行〜左下欄１行）
「第１図ないし第３図の平面図に、身体と接触する表面１２を有する細長い保護物１０を示してあり、間隔をおいて縦に伸びる線浮出し１５の模様が印されている。」（５頁右上欄４〜７行）
　また、第３図には該線浮出し模様１５がナプキンの長さ方向に延び、長さ方向の中央部において間隔が狭くなった一対の線浮出しが示されている。
　★刊行物３（大王製紙株式会社「エリスｏｎプリーツ」カタログ）には、生理用ナプキンについて、「商品特徴」として、「エリスは、横モレ徹底対策！　新センターＶ構造と「プリーツ状吸収体」で、まんなか垂直吸収。」と記載されている。
　また、エリスｏｎプリーツレギュラーに関して、「はじめて、ナプキンのまんなかにミゾがつきました。これが、＜エリスｏｎプリーツ＞独自の「新センターＶ構造」。好評の「プリーツ状吸収体」とのＷ効果でまんなか垂直吸収、横モレをしっかりガードします。」と記載されている。
　さらに、「エリスｏｎプリーツ　レギュラー」の説明模式図及びその説明によれば、表面シートを構成する「シルキーメッシュシート」について、「経血をすばやく通し逆戻りしにくいメッシュを採用。しかも、お肌に優しいシルキータッチ。」と記載され、「プリーツ状吸収体」について、「「新センターＶ構造」で集中吸収した経血を「プリーツ状吸収体」がしっかり受けとめ、スピーディに垂直吸収、下のパルプ層へ。表面に経血をほとんど残しません。」と記載され、「サイドエンボス」について、サイドエンボスで固定、吸収体をしっかり固定、と記載し「吸収体がヨレにくい。」と記載され、参考品について「体の動きによって吸収体だけがヨレてしまう。」と記載されている。
　また、「サイドエンボス」は、コアとしての「パルプ層」が位置する領域の上面両側にコアの長さ方向へ延びるとともにコアの長さ方向の中央部において一対の圧搾条溝として形成されたもので、その「サイドエンボス」自体は、中央部に非エンボス部を残してその周りに小点が間隔を置きつつ円環状に配置された環状エンボス部が、コアの長さ方向へ連続に延びている。
　また、エリスｏｎプリーツナイトに関して、「レギュラーの１．５倍の吸収力！長時間使っても安心の頼れるカタチです。」と記載されている。
　さらに、「エリスｏｎプリーツナイト」の説明模式図及びその説明によれば、表面シートを構成する「シルキーメッシュシート」について、「お肌にさわやか。」と記載され、「サイドエンボス」について、「中がヨレにくいから、いつも軽快。」と記載され、裏面から両側部を覆いつつ表面の両側部に巻き込まれるピンク色の裏面シートについては、「両サイドを（注：ローマ字のＣを横にした形が記載されている。）型に包んで、横モレをガード。新サイドフリル」と記載されている。
　前記「サイドエンボス」は、条溝を形成しており、全体としてみればコアの長さ方向に沿っており、また、この条溝の中に幅方向へ連続して横切り、かつ、ナプキンの縦軸に対して斜めに延在する、深いエンボス部分と、浅いエンボス部分とが長さ方向へ交互に並列して形成されていることが看取できる。さらに、「サイドエンボス」の部分については、「フィットカット」として「体のラインに優しくフィット」と記載されている。
　また、条溝の上面開口の幅寸法がその底面の幅寸法よりも大きく、かつ、条溝の開口上縁が円弧に形成されていることも看取される。
　★刊行物４（朝日新聞、平成３年４月２１日発行、第１３頁）には、主なメーカーの主力商品・新商品について、メーカー、商標、商品名、希望小売価格、特徴を表として記載し、「大王製紙、エリス、エリスｏｎプリーツ（レギュラー）、３７５（２６枚）、吸収体がひだ状のプリーツ構造になっている」と記載されている。
　★刊行物５（「ｎｏｎ−ｎｏ」通巻Ｎｏ．３９５　集英社、昭和６３年８月５日発行、広告頁）には、「チャームナップミニ」に関する広告が記載され、
「Ｎｅｗチャームナップミニなら「こんなカタチ」で、横モレを防ぎます。」と記載され、「横モレの原因は、ナプキンの型くずれにありました。そこでいま、新しいチャームナップミニからのご提案。「新・横モレストッパー」と「サイドテープ」のはたらきで、つけたとき「理想のＷ型」になります。横モレをしっかり防ぐのは、チャームナップミニだけの「こんなカタチ」。これから、安心なナプキンは、「こんなカタチ」になるかどうか、でお選びください。」と記載され、
　また、生理ナプキンの模式図中に「新・横モレストッパー」が存在することを示す記載がされている。
　この生理用ナプキンは、コアが位置する領域の上面両側にコアの長さ方向へ延びるとともにコアの長さ方向の中央部において一対の「横モレストッパー」と指示されている部分を有するものである。
　★刊行物６（特開平６−２４５９５１号公報）には、以下の事項が記載されている。
「本発明はコアの厚みに拠らずつまりコアの厚みの大きくも、使用中に圧迫等に拠り発生するコアの変形が恒常的なものとならずコアが所期の形状に戻る傾向のあるアブソーバントコアの安定性を改善した吸収性物品を提供することを目的とする。」（段落【０００５】）
「生理用ナプキンは液体透過性のトップシート１、液体不透過性のバックシート３、これらシートの間に介在され人体からの液体排出物を吸収するアブソーバントコア５を備える。さらに、生理用ナプキンはアブソーバントコア５の一対の対向する縁部この実施例では長手の縁部７，９を各々包囲する包囲シートを備える。生理ナプキンは実質的に長方形状を有する。生理ナプキンの長手の端部（外形状）は図１に示す直線状に形成される以外にも、内側に湾曲した円弧状をとり長手方向の中央部が若干幅狭に形成されていてもよい。」（段落【０００９】）
「包囲シート１１，１３の少なくとも一部この実施例では長手方向の中央部分にアブソーバントコア５とともにアブソーバントコアの厚み方向に圧縮された圧縮部位１５，１７が構成される。実施例の圧縮部位１５，１７は体側に面するトップシート１を含んで構成される。」（段落【００１２】）
「圧縮部位１５，１７は、アブソーバントコア５が圧縮されコアの構成要素例えばファイバの間隙が減少した部分である。・・・図２の長手方向に切断した断面図に示すように、圧縮部立１５，１７は凹凸形状に形成される。より好適な凹凸の実施例としては波形状に形成さる。後述のごとく波形状を有する圧縮部位１５，１７は金型により形成さる。波形状の谷部１９および山部２１に相当する部分は高く圧縮されており、この谷部１９および山部２１においてトップシート１と、包囲シー１，１３としてのバックシート３、さらにアブソーバントコア５とが一体によく接合される。」（段落【００１３】）
　★刊行物７（米国特許第４，６５５，７５９号明細書）には、以下の事項が記載されている。
 「可撓性を有する液不透過性のバックシート、該バックシート上に位置する液吸収性材料の層、及び着用者肌対向面にエンボスが施された液透過性のカバーを有し、エンボスによって上記カバー及び上記液吸収性材料の層に達するように形成された少なくとも一対のチャネルを備えた生理用ナプキンであって、上記チャネルは互いに鏡像の関係となる弧状の形状をして、その最狭部が上記ナプキンの中央部にあり、また該チャネルの端部は、上記ナプキンの端部から少なくとも１／８インチ内方に離間しており、更に該チャネルは、上記ナプキンの着用中に該ナプキンの側縁が上方を向いて、該ナプキンと着用者の身体との間に閉鎖空間が形成されるようになされており、上記ナプキンにおける上方を向いた側縁は液吸収性であって且つ上記バックシートを有しており、エンボスによって形成された上記チャネルは、上記ナプキンの着用中に着用者の太腿によって上記ナプキンの側縁が上方を向いて、該ナプキンと着用者の身体との間に上記閉鎖空間が形成されるようになされている生理用ナプキン。」（クレームの和訳、中野馥子の異議申立書８頁参照）
　また、圧搾条溝により体液の横モレを防ぎ得ることが記載されている。（第４欄３４行〜５欄２行）
　★刊行物８（特開平１−４５８０１号）には、以下の事項が記載されている。
「本発明のさらに他の目的は、チャンネルによって相互に分離され、包囲された比較的低い密度のタフト区域を有し、前記チャンネルが中密度の貯蔵区域と高密度の輸送区域とを含むようにした新規な吸収性パッドを提供することにある。」（２頁右下欄１３〜１７行）
「本発明によれば、すぐれた液体分布特性と保持特性とを有する吸収性パッドが提供される。」（３頁左上欄１９行〜２０行）
「第２図に図示の好ましい実施態様において、チャンネル３０は貯蔵区域３７と輸送区域３９とを含む。この場合「貯蔵区域」とは、タフト区域２８の密度より大であるが、輸送区域３９の密度より低い密度を有するパッド１２の区域を言う。さらに「輸送区域」とは、前記のようにタフト区域２８の密度より高い密度を有する貯蔵区域３７の密度よりさらに高い密度を有する区域を言う。従ってパッド１２は、３種の相異なる密度区域、すなわち比較的低密度のタフト区域２８と、これより大密度の貯蔵区域３７と、さらに大密度の輸送区域３９とを含む。」（７頁左上欄８〜１９行）
「輸送区域３９は、その高い密度の故に、その繊維間キャリパーが非常に小である。従って、輸送区域３９は非常に急速な滲透作用を示す。貯蔵区域３７は輸送区域３９より低い密度を有するので、輸送区域３９よりも繊維間キャリパーが大である。この故に、貯蔵区域３７は輸送区域３９よりも多量の液体を吸収する傾向を示す。」（８頁左下欄４〜１１行）
「チャンネル３０が高密度の輸送区域３９のみから成れば、これらの輸送区域３９は液体を非常に急速に滲透させるが、その小毛細管の故に多量の液体を輸送する事はできないであろう。しかしチャンネルの中に貯蔵区域３７を配備する事により、輸送区域３９に対して液体タンクが与えられる。使用中に、液体は輸送区域３９を通して比較的急速に滲透し、また貯蔵区域３７の中に貯蔵され比較的ゆっくりと滲透し、次の隣接輸送区域３９の中に吸引され急速に滲透して、先行の貯蔵区域３７を空に成し、この貯蔵区域３７は再び液体を充填する事ができる。」（８ 頁右下欄６〜１８行）
　★刊行物９（特開昭６１−４８３５９号公報）には、以下の事項が記載されている。
「吸収体１の圧縮は、・・・周面が凹凸状であるロールなどにより、吸収体の密度が部分的に異なり、体液を縦方向および縦斜め方向に導く第４図に例示する如き模様配列のエンボス１０であることが好ましい。エンボスの場合、圧縮部、非圧縮部は連続、非連続のいずれであってもよいが、各圧縮部の間隔は可及的に狭いことが好ましい。」（６頁右上欄第１０行〜１９行）
「（作用）
　吸収体１は・・・位置されるが、粉砕パルプ層３に吸収された体液は、コア層２において不織布４の第１層６の縦方向に縞状模様に延びる高い密度部分８に沿ってすばやく拡散するとともに第２層７における高級水性ポリマー５に吸収保持される。この場合、第１層６における有る程度の量の体液はもとよりその横方向へも拡散するが、高い密度部分８がその横方向へ断続的に位置しているので、すなわち、低い密度部分９が各高い密度部分８の間に位置しているから、その拡散速度は縦方向へのそれに比較して遙かに遅いとともにその拡散量も少ない。したがって、体液のコア層２上における拡散範囲は縦方向に長いほぼ楕円状態になる。」（７頁左上欄１０行〜右上欄５行）
「吸収体１が第５図（注：第４図の誤記）に例示するようにエンボス６（注：１０の誤記）を付与されている場合には、粉砕パルプ層３における体液がエンボス６（注：１０の誤記）に沿って拡散しながら該パルプ層を通過する。また、コア層２と粉砕パルプ層３との境界における該パルプ層のパルプが高密度に固められて体液拡散補助層が形成されている場合には、該補助層によっても拡散するが、その拡散速度は不織布４におけるそれよりもはるかに遅い。」（７頁右上欄１４行〜左下欄２行）
　★刊行物１０（特開平６−３１５５０１号公報）には、以下の事項が記載されている。
「本発明は、上記問題点に鑑みなされたものであって、その目的は、支持シート間に狭持された吸水性樹脂粒子がカット面から脱落せず、自由なカットが行われるような吸水シートおよびその製造方法を提供することにある。」（段落【００１１】）
「上記シートのうち、他方のシートを積層し、加熱したエンボスロールによって厚さ方向に押圧し、上記水溶性高分子化合物の接着力もしくは粘着力によって上記シートと吸水性樹脂粒子とを一体的に成形することを特徴としている。」（段落【００１３】）
「【００３１】また、上記エンボスロール５は、図４に示すように、略円柱状に形成され、その外周面に凹凸のロールパターンを備えており、その凸部分５ａで吸水シート１の狭持シート２の表面を押圧するようになっているので、図１に示すように、吸水シート１の表面にある狭持シート２に凹部２ａ…が形成されるようになっている。さらに、このエンボスロール５には、その内部に電気ヒータ等の熱源が内蔵され、エンボスロール加工する際に必要な熱を調整できるようになっている。」（段落【００３１】）
「【００３５】また、上記エンボスロール（５）と軟質ロールとの間には、所定の間隔、すなわちクリアランスを設け、このクリアランスの幅やエンボス押圧力を調整することによって吸水シート１に形成される狭持シート２表面の凹部２ａの深さを調整し、吸水シート１の吸水量を調整するようになっている。
【００３６】このようにして形成された吸水シート１には、表面側の狭持シート２に凹部２ａが形成されていることから、表面積が大きくなり、吸水速度を速くすることができるので、初期吸水速度の向上を図ることができる。」（段落【００３５】、【００３６】）
（ii）検甲第１〜２号証について
　（ａ）特許異議申立人　藤田雅也が検甲第１号証として提出した物品は、証拠調べにおける検証の結果、検証調書に記載のとおりのものであることが明らかである。
　即ち、透液性表面シートと、不透液性裏面シートと、それら両シートの間に介在する吸液性コアとからなり、上面両側に前記コアの長さ方向へ延びるとともに、中央部において間隔が狭くなった一対の条溝を有し、前記一対の条溝は吸収体のコア部分より外側に存在する生理用ナプキンであって、結局、刊行物３に記載の「エリスｏｎプリーツナイト」として記載されている模式図のものである。
　（ｂ）特許異議申立人　藤田雅也が検甲第２号証として提出した物品は、証拠調べにおいて、検甲第２号証が、甲第３号証の１（大王製紙株式会社の「エリスｏｎプリーツ」カタログ）で示されている「エリスｏｎプリーツレギュラー」として示された物品と相違しており、本件特許出願日の前に公知であることを確認することができないこととなったので、検証を行う必要を認めない。
（iii）判断
　刊行物１には、吸液性コアが位置する領域の上面両側に前記コアの長さ方向へ延びるとともに前記コアの長さ方向の中央部において間隔が狭くなった一対の圧搾条溝を有する生理用ナプキンが示されている。
　しかしながら、刊行物１の前記圧搾条溝については、本件発明の圧搾条溝の「条溝の底面を幅方向へ連続して横切り、かつ、前記底面の長さ方向へ交互に並列する高圧搾部と低圧搾部とを有し」ている構造については何ら示されていない。しかも、刊行物１の前記圧搾条溝の作用効果は、着用状態において、圧搾条溝を介してナプキンの両側部が着用者の肌側へ屈曲して全体としてほぼＷ字形の立体構造に変形することにより、ナプキンの女性局部への適合密着性を高め、経血のもれを最小にするとういものであり、本件発明の圧搾条溝の作用効果である「圧搾条溝に流入した経血はその長さ方向への過度の拡散が抑制され、それによってナプキン側縁部やそこに接するショーツを汚すこともない」というものとは相違するものである。
　刊行物２には、ナプキンの長さ方向に延び、長さ方向の中央部において間隔が狭くなった一対の線浮出しの模様が印されたナプキンが示されている。
　しかしながら、前記線浮出しの模様が、本件発明の圧搾条溝の「条溝の底面を幅方向へ連続して横切り、かつ、前記底面の長さ方向へ交互に並列する高圧搾部と低圧搾部とを有し」ていることについては何ら記載がされていない。また、その作用効果についても記載がされていない。
　刊行物３には、エリスｏｎプリーツナイトに関して、コアの長さ方向の中央部において間隔が狭くなった一対の圧搾条溝を有する生理用ナプキンが開示されている。
　しかしながら、エリスｏｎプリーツナイトに設けられた前記圧搾条溝は、「サイドエンボス」部分について、「体のラインに優しくフィット」と記載され、「フィットカット」された部分に圧搾条溝が設けられていると認められるから、本件発明の圧搾条溝である「コアが位置する領域の上面両側に前記コアの長さ方向へ延びるとともに前記コアの長さ方向の中央部において間隔が狭くなった一対の圧搾条溝を有する」という構成を備えるものではない。つまり、刊行物３のエリスｏｎプリーツナイトに設けられた前記圧搾条溝は、コアが位置する領域の上面両側に設けられたというものではない。これは前記のとおり、コアが「フィットカット」され液吸収コアがない部分に設けられているものである。なお、このことは、異議申立人　藤田雅也が認めるところであり、さらに同人が平成１３年１２月３日に提出した口頭審理陳述要領書に添付した参考資料３の資料（４）（注：資料には○の中に数字の４が記載されたものであるが、文書作成上使用できないので括弧に代える。）の記載からも明らかである。
　また、刊行物３に示された「エリスｏｎプリーツ　レギュラー」については、コアが位置する領域の上面両側に前記コアの長さ方向へ直線的に延びる一対のサイドエンボスを有する生理ナプキンが示されている。
　しかしながら、前記サイドエンボスは、中央部に非エンボス部を残してその周りに小点が間隔を置きつつ円環状に配置された環状エンボス部が、コアの長さ方向へ延びるものであるから、本件発明の「条溝は、前記条溝の底面を幅方向へ連続して横切り、かつ、前記底面の長さ方向へ交互に並列する高圧搾部と低圧搾部とを有する」ものではないし、本件発明の「コアの長さ方向の中央部において間隔が狭くなった一対の圧搾条溝を有する」というものでもない。
　刊行物４には、生理ナプキンの構造的な記載は何らされていない。
　刊行物５には、新・横モレストッパーなる部分を有する生理用ナプキンが示されているが、新・横モレストッパーの構造については具体的に記載されておらず、如何なる構造を有しているのか不明である。
　したがって、刊行物５に示された生理ナプキンが、本件発明の「コアが位置する領域の上面両側に前記コアの長さ方向へ延びるとともに前記コアの長さ方向の中央部において間隔が狭くなった一対の圧搾条溝を有する生理用ナプキンにおいて、前記条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある」構成を有しているということはできない。
　刊行物６には、アブソーバントコアの一対の対向する縁部の長手方向の中央部が若干幅狭に形成され得る生理ナプキンのアブソーバントコアの厚み方向に圧縮された圧縮部位が構成され、圧縮部位は凹凸形状に形成され、凹凸の実施例としては波形状に形成され、波形状を有する圧縮部位は金型により、波形状の谷部および山部に相当する部分は高く圧縮された生理ナプキンが示されている。
　そして、刊行物６に示された前記圧縮部位の作用効果は、コアの厚みに拠らずつまりコアの厚みの大きくも、使用中に圧迫等に拠り発生するコアの変形が恒常的なものとならずコアが所期の形状に戻る傾向のあるアブソーバントコアの安定性を改善するというものである。
　一方、本件発明は、「圧搾条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある」構成を採用することにより、「圧搾条溝に流入した経血はその長さ方向への過度の拡散が抑制され、それによってナプキン側縁部やそこに接するショーツを汚すこともない」という作用効果を奏するものである。
　したがって、両者は、圧搾条溝の構造及びそれによる作用効果も相違するものである。
　刊行物７には、エンボスによって上記カバー及び上記液吸収性材料の層に達するように形成された一対のチャネルを備え、前記チャネルは互いに鏡像の関係となる弧状の形状をして、その最狭部が上記ナプキンの中央部にあり、また該チャネルの端部は、上記ナプキンの端部から少なくとも１／８インチ内方に離間している生理用ナプキンが示されている。
　しかしながら、刊行物７に示された生理ナプキンは、本件発明の「圧搾条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある」構成を有するものではない。また、刊行物７には、圧搾条溝により体液の横モレを防ぎ得ることは記載されているが、本件発明が採用した構成により奏される効果である「圧搾条溝に流入した経血はその長さ方向への過度の拡散が抑制され、それによってナプキン側縁部やそこに接するショーツを汚すこともない」という作用効果については、何ら記載はされていない。
　刊行物８には、チャンネルによって相互に分離され、包囲された比較的低い密度のタフト区域を有し、前記チャンネルが中密度の貯蔵区域と高密度の輸送区域とを含むようにした新規な吸収性パッドについて開示されており、輸送区域は、その高い密度の故に、輸送区域は非常に急速な滲透作用を示し、貯蔵区域は輸送区域より低い密度を有するので、貯蔵区域は輸送区域よりも多量の液体を吸収する傾向を示すことも記載されている。
　しかしながら、刊行物８に示された技術は、パッド本体の構造についてものであり、本件発明の構成である「コアが位置する領域の上面両側に前記コアの長さ方向へ延びるとともに前記コアの長さ方向の中央部において間隔が狭くなった一対の圧搾条溝を有する生理用ナプキンにおいて、前記条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある」ものを示すものではない。
　そして、刊行物８に記載されたものは、パッド全体にチャンネルが中密度の貯蔵区域と高密度の輸送区域とを含むようにした構造を設けることにより、「すぐれた液体分布特性と保持特性とを有する吸収性パッドが提供される」ものであるのに対し、本件発明は、前記構成を採用することにより「圧搾条溝に流入した経血はその長さ方向への過度の拡散が抑制され、それによってナプキン側縁部やそこに接するショーツを汚すこともない」というものであるから、両者の作用効果も相違するものである。
　刊行物９には、吸収体の圧縮は、吸収体の密度が部分的に異なり、体液を縦方向および縦斜め方向に導く模様配列のエンボスであること、エンボスの場合、圧縮部、非圧縮部は連続、非連続のいずれであってもよいこと、各圧縮部の間隔は可及的に狭いことが好ましいことが示されている。
　そして、それにより、吸収された体液は、コア層において不織布の第１層の縦方向に縞状模様に延びる高い密度部分に沿ってすばやく拡散するとともに第２層における高級水性ポリマーに吸収保持され、また、高い密度部分がその横方向へ断続的に位置しているので、すなわち、低い密度部分が各高い密度部分の間に位置しているから、その拡散速度は縦方向へのそれに比較して遙かに遅いとともにその拡散量も少なく、したがって、体液のコア層上における拡散範囲は縦方向に長いほぼ楕円状態になるというものである。
　しかしながら、刊行物９に記載されたものは、エンボス部が吸収体全体に設けられたものであり、しかも、コア層において不織布の第１層の縦方向に縞状模様に延びる高い密度部分に沿ってすばやく拡散するとともに第２層における高級水性ポリマーに吸収保持され、また、高い密度部分がその横方向へ断続的に位置しているので、その拡散速度は縦方向へのそれに比較して遙かに遅いとともにその拡散量も少なく、したがって、体液のコア層上における拡散範囲は縦方向に長いほぼ楕円状態になるというもので、本件発明の構成である「コアの長さ方向の中央部において間隔が狭くなった一対の圧搾条溝を有する生理用ナプキンにおいて、前記条溝は、前記条溝の底面を幅方向へ連続して横切り、かつ、前記底面の長さ方向へ交互に並列する高圧搾部と低圧搾部とを有」するものではないし、本件発明の「圧搾条溝に流入した経血はその長さ方向への過度の拡散が抑制され、それによってナプキン側縁部やそこに接するショーツを汚すこともない」という作用効果とは相違するものである。
　刊行物１０には、シートを積層し、加熱したエンボスロールによって厚さ方向に押圧し、水溶性高分子化合物の接着力もしくは粘着力によって上記シートと吸水性樹脂粒子とを一体的に成形するにあたり、エンボスロールが、略円柱状に形成され、その外周面に凹凸のロールパターンを備えており、その凸部分で吸水シートの狭持シートの表面を押圧するようになっているので、吸水シートの表面にある狭持シートに凹部が形成され、また、エンボス押圧力を調整することによって吸水シートに形成される狭持シート表面の凹部の深さを調整し、吸水シートの吸水量を調整するようにすることが示されている。そして、吸水シートには、表面側の狭持シートに凹部が形成されていることから、表面積が大きくなり、吸水速度を速くすることができるので、初期吸水速度の向上を図ることができることが示されている。
　しかしながら、刊行物１０に記載されたものは、凹凸が吸収体全体に設けられたものであり、しかも、その目的は、支持シート間に狭持された吸水性樹脂粒子がカット面から脱落せず、自由なカットが行われるような吸水シートとするためのものであり、しかも、表面積が大きくなり、吸水速度を速くすることができるというもので、本件発明の構成である「コアの長さ方向の中央部において間隔が狭くなった一対の圧搾条溝を有する生理用ナプキンにおいて、前記条溝は、前記条溝の底面を幅方向へ連続して横切り、かつ、前記底面の長さ方向へ交互に並列する高圧搾部と低圧搾部とを有」するものではないし、本件発明の「圧搾条溝に流入した経血はその長さ方向への過度の拡散が抑制され、それによってナプキン側縁部やそこに接するショーツを汚すこともない」という作用効果とは相違するものである。
　以上のとおり、前記刊行物１〜１０には、本件発明が記載されているということはできない。
　また、刊行物８〜９に、パッド本体に設けられたチャネルまたはエンボスの作用により体液の吸収分布に差異を生じる技術が示されているとしても、刊行物１、２、６に示されたナプキンに設けられた圧搾条溝が体液の拡散を防止する目的で設けられたものではないから、刊行物８〜９に記載の技術を前記刊行物の技術に適用することにより本件発明を構成することは困難というべきである。
　さらに、刊行物５、７には、圧搾条溝を有するパッドにおいて、前記圧搾条溝が横漏れ防止のために設けられているが、本件発明においては、「圧搾条溝における低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあること」により、圧搾条溝に流入した経血はその長さ方向への過度の拡散が抑制されるというものであるから、刊行物８〜９に記載のパッド本体に設けられたチャネルまたはエンボスの作用により体液の吸収分布に差異を生じる技術が示されているとしても、この技術を圧搾条溝に適用して、本件発明の前記構成とすることは困難なことというべきである。
　なお、検甲第１号証は前記記載のとおり、刊行物３に記載されたものであるから、検甲第１号証については、刊行物３について判断したとおりである。また、検甲第２号証は、前記記載のとおりであり、採用しない。
　そして、本件発明は前記請求項１に記載された構成を採用することにより、明細書記載の格別顕著な効果を奏するものである。
（iv）むすび
　したがって、本件発明は、前記刊行物１〜１０に記載された発明及び検甲第１号証の発明であるということはできないし、前記刊行物１〜１０に記載された発明及び検甲第１号証の発明を合わせ検討しても、前記刊行物１〜１０に記載された発明及び検甲第１号証の発明に基づいて当業者が容易に発明をすることができたものとはいえない。
（２）訂正後の請求項２〜４に係る発明について
　訂正後の請求項２〜４は、本件発明を引用するものであるから、本件発明と同じ理由により、前記刊行物１〜１０に記載された発明及び検甲第１号証の発明ではないし、前記刊行物１〜１０に記載された発明及び検甲第１号証の発明に基づいて当業者が容易に発明をすることができたとはいえない。
【２−２】特許異議申立人　花王株式会社の申立理由（特許法第２９条第１項又は第２９条第２項違反）について
（１）特許異議申立人　花王株式会社の提出した甲第１号証（ユニ・チャーム株式会社が発行した同社製品の総合カタログ（１９９５年９月発行））及び甲第１号証の２（ユニ・チャーム株式会社が発行した同社製品「チャームボデイフイット」のカタログ）の頒布日については、明確にその頒布日を確定することができず、また、特許異議申立人　花王株式会社もその頒布日について、本件特許出願前のものであることを証するものを提出しているものでもない。
　そうすると、前記甲第１号証及び甲第１号証の２が本件特許出願前に頒布された刊行物とすることはできない。
（２）特許異議申立人　花王株式会社の提出した甲第１号証の３及び甲第１号証の４について
　前記甲第１号証の４については、本件特許出願日（平成７年１０月１９日）前において公知のものであることは、本件異議申立事件においてなされた口頭審理において特許権者の認めるところであり、また、甲第１号証の３として提出された物品が、甲第１号証の４の包装物の内容物と同じ物品であることも前記口頭審理において認めるところである。
　そこで、甲第１号証の３として提出された物品について検討する。
　甲第１号証の３として提出された物品は、証拠調べによる検証の結果、検証調書に記載のとおりのものであることが明らかである。
　即ち、透液性表面シートと、不透液性裏面シートと、それら両シートの間に介在する吸液性コアとからなり、前記コアが位置する領域の上面両側に前記コアの長さ方向へ延びるとともに前記コアの長さ方向の中央部において間隔が狭くなった一対の条溝を有する生理用ナプキンである。
（i）本件発明について
　甲第１号証の３として提出された物品である生理用ナプキンに設けられたコアの長さ方向の中央部において間隔が狭くなった一対の条溝についてみると、確かに、前記条溝は、前記条溝の底面を幅方向へ連続して横切り、かつ、前記底面の長さ方向へ交互に並列する凹凸部を有することは認められるが、前記条溝が、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることは、検証によっては認めることができなかった（前記条溝の凹凸部分が測定不能であった。）。
　そうすると、本件発明は、甲第１号証の３に添付された物品と同一であるとまではいうことはできないから、甲第１号証の３の発明であるとはいえない。
　さらに、本件発明は、条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることを必須の構成とすることにより、特許明細書に記載された「条溝に流入した経血はその長さ方向への過度の拡散が抑制され、それによってナプキン側縁部やそこに接するショーツを汚すこともない」（段落【００１４】）という格別の効果を奏するものであるから、条溝についての作用効果等何ら記載のない甲第１号証の３のナプキンから容易になし得たとはいえない。
　また、甲第１号証の３として提出された物品である生理用ナプキンに設けられたコアの長さ方向の中央部において間隔が狭くなった一対の条溝の目的及びその作用効果は不明であるから、甲第１号証の３の技術に前記刊行物１〜１０に記載の技術及び検甲第１号証の技術を適用することも困難というべきである。
（ii）訂正後の請求項２〜４に係る発明について
　訂正後の請求項２〜４は、本件発明を引用するものであるから、本件発明と同じ理由により、前記甲第１号証の３の発明ではないし、前記甲第１号証の３の技術及び刊行物１〜１０に記載の技術及び検甲第１号証の技術に基づいて当業者が容易に発明をすることができたともいえない。
V．むすび
　以上のとおりであるから、各特許異議申立の理由及び証拠によっては、訂正後の請求項１〜４に係る発明についての特許を取り消すことはできない。
　また、他に訂正後の請求項１〜４に係る発明についての特許を取り消すべき理由を発見しない。
　よって、結論のとおり決定する。
【異議決定日】
平成１４年９月２５日（２００２．９．２５）
【訂正の要旨】
訂正の要旨
　特許第３０５３５６１号の明細書を訂正請求に添付された明細書のとおり、訂正する。
　１．訂正の内容
　訂正事項ａ
　明細書の特許請求の範囲の請求項１に係る記載「高圧搾部と低圧搾部とを有することを特徴とする前記生理用ナプキン。」を「高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることを特徴とする前記生理用ナプキン。」と訂正する。
　訂正事項ｂ
　訂正前の請求項４を削除するとともに、訂正前の請求項５を新たに請求項４と訂正する。
　訂正事項ｃ
　明細書の段落【０００６】中の「かかる前提において、前記条溝は、前記条溝の底面を幅方向へ連続して横切り、かつ、前記底面の長さ方向へ交互に並列する高圧搾部と低圧搾部とを有ることが、この発明の特徴である。」を「かかる前提において、前記条溝は、前記条溝の底面を幅方向へ連続して横切り、かつ、前記底面の長さ方向へ交互に並列する高圧搾部と低圧搾部とを有し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にあることが、この発明の特徴である。」と訂正する。
　訂正事項ｄ
　明細書の段落【００１４】中の「（請求項１，４）。」を「（請求項１）。」と訂正する。
　訂正事項ｅ
　明細書の段落【００１７】中の「（請求項５）。」を「（請求項４）」と訂正する。
（５４）【発明の名称】
生理用ナプキン
（５７）【特許請求の範囲】
　【請求項１】
　透液性表面シートと、不透液性裏面シートと、それら両シートの間に介在する吸液性コアとからなり、前記コアが位置する領域の上面両側に前記コアの長さ方向へ延びるとともに前記コアの長さ方向の中央部において間隔が狭くなった一対の圧搾条溝を有する生理用ナプキンにおいて、
　前記条溝は、前記条溝の底面を幅方向へ連続して横切り、かつ、前記底面の長さ方向へ交互に並列する高圧搾部と低圧搾部とを有
し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある
　【請求項２】
　前記条溝は、前記条溝の上面開口の幅寸法がその底面の幅寸法よりも大きく、かつ、前記条溝の開口上縁が円弧に形成されている請求項１に記載の生理用ナプキン。
　【請求項３】
　前記低圧搾部および高圧搾部は、ナプキンの縦軸に対して斜めに延在している請求項１または請求項２に記載の生理用ナプキン。
　
【請求項４】
　
前記条溝を画成する内外側壁のうち、該内側壁に沿って位置する前記コア部分が、該外側壁に沿って位置する前記コア部分よりも高密度である請求項１ないし請求項３のいずれかに記載の生理用ナプキン。
【発明の詳細な説明】
　【０００１】
　【産業上の利用分野】
　この発明は、生理用ナプキンに関し、さらに詳しくは、経血を吸収保持する生理用ナプキン又はパッドに関する。
　【０００２】
　【従来の技術】
　実公平５−３９６９１号公報には、ナプキン上面の両側にその長さ方向へ延びるとともにそのほぼ中央部において間隔が狭くなった一対の圧搾条溝を有する生理用ナプキンが開示されている。かかる条溝によって、ナプキンの女性局部への適合密着性が向上する。また、着用ナプキンの中央部に生じた捩れは、それがナプキン側縁にまで延びるのをこの条溝によって阻止できる。それによって、経血が捩れに沿って側縁にまで流れ、横漏れを生じるという問題を回避することができる。
　【０００３】
　【発明が解決しようとする課題】
　前記公知のナプキンの吸液性コアでは、圧搾条溝の密度がコア中央部の密度よりも極めて高く、条溝に流入した経血はその長さ方向に素早く拡散し過ぎる傾向がある。条溝は、ナプキンの吸液性コアの側縁近傍に形成されているから、その拡散によってナプキンは条溝がない場合に比べて側縁部の汚れが促進され、その側縁部に接している着用ショーツを汚す頻度も高くなる。
　【０００４】
　そこで、この発明は、ナプキンに条溝を形成した場合の効果を維持しつつ、該条溝における経血の拡散を抑制することを主たる課題にしている。
　【０００５】
　【課題を解決するための手段】
　前記課題を解決するために、この発明においては、透液性表面シートと、不透液性裏面シートと、それら両シートの間に介在する吸液性コアとからなり、前記コアが位置する領域の上面両側に前記コアの長さ方向へ延びるとともに前記コアの長さ方向の中央部において間隔が狭くなった一対の圧搾条溝を有する生理用ナプキンを前提にしている。
　【０００６】
　かかる前提において、前記条溝は、前記条溝の底面を幅方向へ連続して横切り、かつ、前記底面の長さ方向へ交互に並列する高圧搾部と低圧搾部とを有
し、前記低圧搾部の厚みが、前記高圧搾部の厚みよりも大きく、前記低圧搾部の前記厚みが、前記条溝の近傍の厚み×０．７〜０．２の範囲にあり、前記高圧搾部の前記厚みが、前記条溝の近傍の前記厚み×０．５〜０．０５の範囲にある
　【０００７】
　【実施例】
　添付の図面を参照して、この発明の詳細を説明すると、以下のとおりである。
　【０００８】
　図１に部分破断斜視図で示す生理用ナプキン１は、透液性表面シート２と、不透液性裏面シート３と、吸液性コア４とによって構成され、表裏面シート２，３はコア４の四周から延出する部分で重なり合い、内面どうしが水密に接合している。ナプキン１の上面両側部にはナプキン１の長さ方向へ延びる一対の圧搾条溝５が形成され、その条溝５の中央部において間隔が最も狭くなり、その長さ方向へ両端へ向って次第にその間隔が広くなっている。条溝５によってナプキン１は、女性局部への適合密着性を改善するうえで大いに役立つ。
　【０００９】
　図２，３は、図１の部分拡大平面図と、図１のＩＩＩ−ＩＩＩ線断面図である。これらの図において、条溝５は、その底面５Ａに厚み（高さ）Ｂの低圧搾部８と、厚み（高さ）Ｃの高圧搾部９とを有し、両部８，９が条溝５の長さ方向へ交互に並列している。条溝５は、その上面開口５Ｂの幅がその底面５Ａの幅よりも大きく、かつ、開口上縁部５Ｃが円弧に形成されている。低圧搾部８および高圧搾部９は、底面５Ａを幅方向へ横切り、さらに具体的には、ナプキン１の縦軸ｘに対して斜めに位置するとともに（図１，２参照）、底面５Ａの幅よりも細くその幅方向へ延在する。条溝５は、その近傍の厚みＡに対しＢ＝０．７〜０．２×Ａ、Ｃ＝０．５〜０．０５×Ａであって、Ｂ＞Ｃとなるように、そして好ましくは、高圧搾部９における密度が０．１ｇ／ｃｍ３以上となり、低圧搾部８の密度が高圧搾部９の密度よりも低くなるように圧搾されている。条溝５は、コア４の全長の１／２〜４／５の長さと、１〜５ｍｍの幅とを有することが好ましい。低圧搾部８と高圧搾部９とは、条溝５の長さ方向に０．８〜４ｍｍの幅を有することが好ましい。
　【００１０】
　条溝５を画成する内外側壁５Ｄ１，５Ｄ２に沿う近傍のコア４部分も、条溝５が圧搾で形成されたものであることから、前記圧搾部８，９ほどではないにしても、その圧搾時における圧搾作用を受けない他の領域よりも密度が高くなっていることが理解されよう。図３では、内側壁５Ｄ１の開口上縁５Ｃが、外側壁５Ｄ２側の開口上縁５Ｃよりも円弧の長さ寸法が大きく、そのため、前者に位置するコア４部分が、後者の位置するコア４部分よりも広範囲かつ高密度に圧搾されている。したがって、条溝５に流入する経血は、内側壁５Ｄ１側でより条溝に吸収拡散され外側壁５Ｄ２からナプキンの外側縁へ拡散し横漏れを生じることが少ない。こうしたことから理解されるように、内側壁５Ｄ１側のコア４部分が外側壁５Ｄ２側のコア４部分よりも高密度になるように条溝５が圧搾形成されていることが好ましい。
　【００１１】
　かかる条溝５の形状は、ナプキン１を成形型により高圧で圧搾すれば得られるが、圧搾部位に、例えば僅かに水を含ませたり、表面シート２とコア４との間にホットメルト型接着剤を介在させて加熱下に圧搾したりすることによってその圧搾形状を安定させることができる。
　【００１２】
　このように構成したナプキン１では、図１に矢印Ｐ，Ｑで示すように経血が排泄されて条溝５に流入すると、低圧搾部８の経血は密度の高い高圧搾部９へ素早く拡散する。一方、該部９の周囲は相対的に密度が低いから、該部９の経血は、そうした周囲に容易に拡散することがない。したがって、このナプキン１では、経血が条溝５においてその長さ方向に素早く拡散することを阻止し、条溝５からナプキン１の側縁に向かって経血が外方へ広がるのを抑えることができる。
　【００１３】
　この発明において、コア４には、粉砕パルプに高吸水性ポリマー粉末や熱可塑性合成繊維を混合することができる。条溝５を加熱下に圧搾して形成する場合に、かかる繊維はその加熱によって賦型され、圧搾形状の型崩れを防止するのに役立つ。また、繊維が疎水性のものであれば、粉砕パルプからなるコア４に経血に対する拡散性を付与することができる。表面シート２には、不織布や開孔プラスチックフィルムを使用し、裏面シート３にはプラスチックフィルムを使用することが好ましい。ナプキン１の各部材を接合するにはホットメルト型接着剤等の接着剤を使用する他に、熱溶融性素材に対する溶着技術を利用することができる。
　なお、添付図面では、これら接合手段の図示が省略してある。
　【００１４】
　【発明の効果】
　この発明に係る生理用ナプキンにおいては、その上面両側に条溝が形成されることによって女性局部への密着性が向上し、また、ナプキン中央部に生じた捩れが周縁部にまで延び難くなる。かかる条溝では、その底面の長さ方向へ相対的に密度の高い圧搾部と密度の低い圧搾部とが交互に並列するから、条溝に流入した経血はその長さ方向への過度の拡散が抑制され、それによってナプキン側縁部やそこに接するショーツを汚すこともない（請求項１）。
　【００１５】
　条溝は圧搾で形成されているにもかかわらず、その開口上縁が円弧であるから、女性局部に刺激を与えないし、経血が円滑に条溝に流入する（請求項１，２）。
　【００１６】
　この種のナプキンは、一般にその長さ方向に対して直角に折り重ねて個包装されるので、同直角方向に細い多数の横小皺が折り目近傍に生じる。この横小皺は経血の横漏れの原因となるものであるが、そして、表面シートの材質等にもよるが、本発明は、条溝及びその底面の高低圧搾部によって、これらが存在しない場合に比較して、前記横小皺の発生を低下させることができることを知見した（請求項１，２）。
　【００１７】
　条溝を画成する内外側壁のうち、該内側壁に沿うコア部分が該外側壁に沿うコア部分よりも高密度であるから、前者のコア部分が後者のコア部分よりも経血を吸収拡散し、経血の横漏れが有効に防止される（請求項
４
【図面の簡単な説明】
　【図１】
　生理用ナプキンの部分破断斜視図。
　【図２】
　生理用ナプキンの部分拡大平面図。
　【図３】
　図１のＩＩＩ−ＩＩＩ線断面図。
　【符号の説明】
　１　　生理用ナプキン
　２　　表面シート
　３　　裏面シート
　４　　コア
　５　　条溝
　８　　低圧搾部
　９　　高圧搾部